(57)【要約】【課題】  前扉を自由に開放可能な従業員等であっても、基板ケースの開放も、又は取り外しも不能となるように基板ケースを取り付けることで、不正行為から遊技機を有効に保護することができる。【解決手段】  正面側に開口した筐体１ｂと、筐体１ｂの正面側開口を開閉可能に覆う前扉１ａとを備える遊技機であって、筐体１ｂが、主基板１０ａを収納する開閉可能な主基板ケース１０ｂを、筐体１ｂ内に出し入れ可能とする挿入口４１と、挿入口４１を介して挿入された主基板ケース１０ｂを、筐体１ｂの正面側から開放不能及び／又は取り外し不能に収納する主基板ホルダー４０と、を備える構成としてある。【選択図】      図２
2008000524.tif 000002
【特許請求の範囲】
【請求項１】
正面側に開口した筐体と、前記筐体の正面側開口を開閉可能に覆う前扉とを備える遊技機であって、
前記筐体が、
基板を収納する開閉可能な基板ケースを、前記筐体内に出し入れ可能とする挿入口と、
前記挿入口を介して挿入された前記基板ケースを、前記筐体の正面側から開放不能及び／又は取り外し不能に収納する基板ホルダーと、を備えることを特徴とした遊技機。
【請求項２】
前記挿入口が、遊技機設置状態において、遊技機島に包囲される部位に形成された請求項１記載の遊技機。
【請求項３】
前記挿入口を閉塞する蓋材を備える請求項１又は２記載の遊技機。
【請求項４】
前記挿入口を閉塞した前記蓋材を、取り外し不能に封止する封止手段を備える請求項３記載の遊技機。
【請求項５】
前記基板ホルダーに収納された前記基板ケースを、前記基板ホルダーから取り外し不能に固着する固着手段を備える請求項１〜４のいずれか一項に記載の遊技機。
【請求項６】
前記基板ホルダーが、収納された前記基板ケースを覆う請求項１〜５のいずれか一項に記載の遊技機。
【請求項７】
前記基板ホルダーが、前記基板ホルダーに前記基板ケースを収納した状態において、前記基板に接続したコネクタのケーブルを貫通可能とし、前記コネクタを貫通不能及び／又は挿脱不能とする切欠部を備える請求項１〜６のいずれか一項に記載の遊技機。
【請求項８】
前記筐体が、前記基板ホルダーに収納された前記基板ケース内の前記基板を、外部より視認可能にする開口部を備える請求項１〜７のいずれか一項に記載の遊技機。
【発明の詳細な説明】
【技術分野】
【０００１】
本発明は、遊技内容を制御する基板を有する遊技機に関し、特に、基板に対する不正対策を強化し、未然に悪質な不正を防止するための基板の取り付け構造の改良に関する。
【背景技術】
【０００２】
一般に、スロットマシンやぱちんこ機等の遊技機は、一定の射幸性を有するがために、不正に遊技媒体であるメダル等を獲得しようとする不正行為者の標的となり易く、遊技機の不正防止対策が重要な課題となっている。
不正行為は、遊技機の扉などの隙間より、ピアノ線等を挿入して、不正にメダル等を獲得する所謂、ゴト行為が代表例として挙げられるが、近年の不正行為は、より緻密で複雑化の傾向を呈していて、容易には発見できないものが多く見られるようになってきた。
【０００３】
特に、遊技機の遊技内容を制御する主基板を収納する主基板ケースを開放し、主基板に装着された正規なＲＯＭを、特殊な行為を行うと少しずつメダルを不正に獲得することができるように仕組まれた不正ＲＯＭなどに交換する行為が多く見られ、外見からは不正行為やその痕跡がほとんど見当たらず、それゆえ、発見が遅れ、気づいたときには、大量のメダルが窃取されるようなゴト行為が多発している。
【０００４】
このような従来の遊技機における不正行為に対する防犯対策に関する技術としては、例えば、スロットマシンにおいては、主基板、ホッパー装置、段階設定キーなどの不正対象を不正行為より保護するために、前扉と筐体の間に新たな中扉を設けて、筐体内部を遮断する手段が開示されている。この中扉を設けることにより、前扉と筐体との隙間から不正な操作がされることを排除している（特許文献１）。
【０００５】
また、不正がなされたことの発見の困難性を鑑み、主基板に不正がされた痕跡を残すために、主基板ケースが開放されると、主基板に色つき液体が飛散して、付着する技術が開示されている（特許文献２）。これにより、不正による主基板ケースの開放の痕跡が残り、早期に不正の事実が発見し易くなる。
さらに、不正ＲＯＭ等の交換を防止するため、主基板を収納する主基板ケースを開放できないように封止し、開放した場合に痕跡が残るようなカシメ構造の技術が開示されている。このような、カシメ構造は、既に全遊技機メーカーが対応しており、不正ロム等の取替えを困難とし、一定の効果を奏している（特許文献３）。
【０００６】
【特許文献１】特開２００３−１１７０５５号公報
【特許文献２】特開２００３−１４４７２１号公報
【特許文献３】特開２００６−１０２３５９号公報
【発明の開示】
【発明が解決しようとする課題】
【０００７】
しかしながら、以上のようなこれまで開示されている技術は、上述した従来の課題を十分には解消し得ず、また、新たな問題も生じることとなった。
特許文献１，特許文献２及び特許文献３のいずれ技術においても、不正行為の緻密化に伴い、精巧に主基板ケースを開放の痕跡が残らないように開放する不正行為等には対処できなかった。
特に、不正行為者と遊技場の従業員が共謀して不正を行う場合があり、この場合は、主基板ケースごとそっくり取り替えて、まったく別な主基板を装着してしまうこともあり、対策が見出されない事態に直面している。なお、このような行為は、遊技機から、主基板ケースが取り外し容易なことも一因として挙げられる。
【０００８】
本発明は、以上のような従来の技術が有する問題を解決するために提案されたものであり、前扉を自由に開放可能な従業員等であっても、基板ケースの開放も、又は取り外しも不能となるように基板ケースを取り付けることで、不正行為から遊技機を有効に保護することができる遊技機の提供を目的とする。
【課題を解決するための手段】
【０００９】
上記目的を達成するため、本発明の遊技機は、請求項１に記載するように、正面側に開口した筐体と、前記筐体の正面側開口を開閉可能に覆う前扉とを備える遊技機であって、前記筐体が、基板を収納する開閉可能な基板ケースを、前記筐体内に出し入れ可能とする挿入口と、前記挿入口を介して挿入された前記基板ケースを、前記筐体の正面側から開放不能及び／又は取り外し不能に収納する基板ホルダーと、を備えてある。
【００１０】
このような構成からなる本発明の遊技機によれば、前扉を開放しても、正面側から、基板ホルダーに収納された基板ケースを、開放することも、又は基板ホルダーから取り外すこともできないため、基板ケースを開放して行う不正ＲＯＭの交換や、基板ケースごと取り替える不正行為等にも十分対応可能となり、遊技機は有効に保護される。
【００１１】
特に、請求項２記載の発明では、前記挿入口が、遊技機設置状態において、遊技機島に包囲される部位に形成してある。
このような構成とすることにより、前述したように、基板ケースが正面側からの開放不能、取り外し不能となることに加え、基板ケースの挿入口が、遊技機設置状態において、遊技機島によって、閉塞されることになり、基板ケースが、挿入口を介して基板ホルダーから取り出すことができなくなり、基板に直接、接触する手段をなくすることができる。
特に、遊技場の営業中においては、通常、遊技機は遊技機島に取り付けてあるため、不正行為者が従業員等であったとしても、基板ホルダーから、基板ケースを取り出す場合は、遊技機を遊技機島より取り外さなければならず、そのような大掛かりな行為は人目につき易いため、不正行為から、遊技機が十全に保護される。
【００１２】
また、本発明の遊技機は、請求項３に記載するように、前記挿入口を閉塞する蓋材を備えた構成としてある。
このような構成とすることにより、挿入口からの遊技機の誤動作の原因となり得るゴミや埃の混入を防止し、挿入口よりピアノ線等を挿入するようなゴト行為も排除することができる。
【００１３】
特に、請求項４記載の発明では、前記挿入口を閉塞した前記蓋材を、取り外し不能に封止する封止手段を備える構成としてある。
このような構成とすることにより、上述した効果に加え、遊技機島に設置していない状態においても、基板ケースを挿入口より取り出すことができず、遊技機を不正行為から万全に保護することができる。
【００１４】
また、本発明の遊技機は、請求項５に記載するように、前記基板ホルダーに収納された前記基板ケースを、前記基板ホルダーから取り外し不能に固着する固着手段を備える構成としてある。
このような構成とすることにより、挿入口を介しても基板ホルダーから、基板ケースを取り出すことはできない。特に、遊技機が、遊技機島に設置状態にない、運搬時などにも、基板の取り出しができなくなり、遊技機を不正行為より保護することができる。
【００１５】
また、本発明の遊技機は、請求項６に記載するように、前記基板ホルダーが、収納された前記基板ケースを覆う構成としてある。
このような構成とすることにより、基板ホルダーに収納された基板ケースを破壊して、ＲＯＭの交換を図るような悪質な不正行為から基板ケースを保護することができる。
【００１６】
また、本発明の遊技機は、請求項７に記載するように、前記基板ホルダーが、前記基板ホルダーに前記基板ケースを収納した状態において、前記基板に接続したコネクタのケーブルを貫通可能とし、前記コネクタを貫通不能及び／又は挿脱不能とする切欠部を備える構成としてある。
このような構成とすることにより、遊技に供する装置からの信号のやり取り等の重要な役割を果たしている基板のコネクタを挿脱して行う不正行為や、搬送中におけるコネクタの脱落等を有効に防止することができる。
【００１７】
一方、本発明の遊技機は、請求項８に記載するように、前記筐体が、前記基板ホルダーに収納された前記基板ケース内の前記基板を、外部より視認可能にする開口部を備える構成としてある。
このような構成とすることにより、基板ケースを取り出すことなく、基板に不正な部品等が装着されていないかどうか確認することができる。すなわち、基板の表面は、前扉を開放して正面側より、基板の裏面は、筐体に備えた開口部より確認することができ、不正行為の痕跡をいち早く発見することに役立つ。
【発明の効果】
【００１８】
本発明の遊技機によれば、前扉を自由に開放可能な従業員等であっても、基板ケースの開放も、又は取り外しも不能となるように基板ケースを取り付けることで、不正行為から遊技機を有効に保護することができる。
【発明を実施するための最良の形態】
【００１９】
以下、本発明に係る遊技機の好ましい実施形態について、図１〜図１７を参照して説明する。
［第一実施形態］
まず、図１〜１０を参照して、本発明の一実施形態に係るスロットマシン１の構成について説明する。
図１は、本実施形態に係るスロットマシン１を示す概略正面図であり、図２は、同じく本実施形態に係るスロットマシン１の内部構成を示す概略斜視図である。
これらの図に示すように、本実施形態のスロットマシン１は、従来のスロットマシンと同様にスロットマシン１に備えられた複数のリール２１ａ，２１ｂ，２１ｃを回転させることによって入賞遊技媒体を獲得することができる回胴式遊技機を構成している。
【００２０】
具体的には、スロットマシン１は、内部にマイクロコンピュータ等で構成された制御部１０及び必要な機械、装置等を収納する正面側に開口した筐体１ｂと、筐体１ｂの正面側を開閉可能に覆う前扉１ａとで構成されている。
前扉１ａは、図１及び図２に示すように、スロットマシン１の筐体１ｂにヒンジ等を介して開閉自在に取り付けられる扉体で、この前扉１ａに前面パネル２とその他各部が備えられてスロットマシン１の正面部を構成している。
なお、スロットマシン１を構成する各部・各所の機械、装置等やそれらの制御は、公知のものであり、ここではこれらの詳細な説明は省略し、発明の特徴的な構成の説明にとどめるものとする。
【００２１】
以下、本発明の特徴的な構成である、制御部１０、主基板ホルダー４０及び挿入口４１について詳述する。
まず、制御部１０は、スロットマシン１を構成する遊技に供する装置等を制御する装置で、筐体１ｂの内部のドラムユニット２０の上奥に配置されている（図２参照）。
制御部１０は、所定のＣＰＵ，ＲＡＭ，ＲＯＭ，クロック発生回路，乱数発生回路や各種周辺回路とのインターフェイス回路などを装着した主基板１０ａとそれを保護する開閉可能な主基板ケース１０ｂから構成されている（図３参照）。
なお、主基板ケース１０ｂは、容易に割れたり、変形しない程度の硬度・強度を有し、外部より主基板１０ａに実装された部品等が視認可能なように無色又は有色透明な合成樹脂などで形成され、さらに、不正行為から主基板１０ａを保護するため、一般的には、主基板ケース１０ｂを開放不能にするカシメ構造が備えられている。
【００２２】
次に、制御部１０を筐体１ｂ内に出し入れする挿入口４１について説明する。
本実施形態では、図４に示すように、挿入口４１は、遊技機設置状態において、遊技機島に包囲される筐体１ｂの上部に、制御部１０を出し入れ可能なように矩形状に形成してある。この挿入口４１より、制御部１０を後述する主基板ホルダー４０に挿入する。
【００２３】
次に、主基板ホルダー４０について詳述する。
主基板ホルダー４０は、容易に割れたり、変形しない程度の硬度・強度を有し、外部より主基板１０ａに実装された部品が確認可能なように無色又は有色透明な合成樹脂などの材質からなり、制御部１０を挟持して収納することができるようにＵ字状に形成され、筐体１ｂ上奥の左右に、筐体１ｂと一体となるように取り外し不能に固着されている。
そして、主基板ホルダー４０への制御部１０の収納は、図５に示すように、上述した挿入口４１から、制御部１０を挿入して、主基板ホルダー４０のＵ字の内側に接しながら、Ｕ字の底面まで挿入・収納する（図４参照）。
【００２４】
このような構成とすることより、制御部１０は、挿入口４１からは、取り出すことはできるが、前扉１ａを開放した正面側からは、主基板ホルダー４０が妨げとなり、主基板ケース１ｂを開放することも、又は制御部１０を取り外すこともできない。
ここで更に、図６のスロットマシン１の遊技機島５０の設置状態を示す概略斜視図に示すように、遊技機設置状態においては、スロットマシン１の筐体１ｂ上面は、同図右端のスロットマシン１のように遊技機島５０により、包囲されている。そうすると、筐体１ｂ上面に設けられた、挿入口４１は、遊技機島５０により閉塞されることになり、これによって、制御部１０は、挿入口４１からは、取り出すことができなくなる。
すなわち、遊技機設置状態においては、前扉１ａを開放しても、主基板ケース１０ｂを開放することも、又は制御部１０を取り外すこともできないことに加え、挿入口４１からも取り出し不能となる。
特に、遊技場の営業中においては、通常、スロットマシン１は遊技機島５０に取り付けてあるため、不正行為者が従業員等であったとしても、前扉１ａを開放して、正面側から、主基板ホルダー４０に収納された主基板ケース１０ｂを、開放することも、又は制御部１０を主基板ホルダー４０から取り外すこともできないため、主基板１０ａに直接、接触する手段がなくなる。主基板ホルダー４０から、制御部１０を取り出す場合は、スロットマシン１を遊技機島５０より取り外さなければならず、そのような大掛かりな行為は人目につき易いため、不正行為から、スロットマシン１が十全に保護される。
【００２５】
なお、本実施形態では、挿入口４１を、筐体１ｂ上面に設けたが、遊技機島５０により挿入口４１が閉塞される位置である、筐体１ｂ側面、又は裏面などに形成してもよい。
筐体１ｂ側面に挿入口４１を形成する場合は、本実施形態と同様な構造を有する主基板ホルダー４０に制御部１０を筐体１ｂ側面より、スライドして挿入・収納可能となるように主基板ホルダー４０を形成する。
また、筐体１ｂ裏面に挿入口４１を形成する場合には、本実施形態と同様な構造を有する主基板ホルダー４０に制御部１０を筐体１ｂ裏面より、スライドして落とし込み、収納可能となるように主基板ホルダー４０を形成する。
【００２６】
次に、挿入口４１を閉塞する蓋材４２とその封止手段について、図４，図７と図８を参照しつつ説明する。
蓋材４２は、挿入口４１を閉塞する部材で、金属又は合成樹脂等から形成されている矩形状の蓋である。図４に示すように、蓋材４２により、挿入口４１を閉塞することで、スロットマシン１の誤動作の原因となり得るゴミや埃の混入を防止し、挿入口４１よりピアノ線等を挿入するようなゴト行為等も排除することができる。
さらに、本実施形態における、挿入口４１を閉塞した蓋材４２を取り外し不能に封止する封止手段について図７と図８を参照しつつ説明する。なお、本実施形態では、封止手段としてカシメ構造４２ａを採用している。
図７は、本実施形態に係るスロットマシンの挿入口４１を蓋材４２で封止した状態を示す概略斜視図であり、図８は、本実施形態に係るスロットマシン１の蓋材４２の封止手段を示す断面図である。
図７に示すように、カシメ構造４２ａは、蓋材４２の左右に二箇所ずつ配設されていて、カシメ構造４２ａを作用させることにより、蓋材４２が、筐体１ｂに固着され、制御部１０が挿入口４１から取り出し不能となる。
なお、カシメ構造４２ａは、四箇所すべて作用させることはなく、左右一箇所ずつでもよい。
【００２７】
以下、蓋材４２のカシメ構造４２ａについて詳述する。
図８に示すように、カシメ構造４２ａは、蓋材４２と筐体１ｂをワンウェイネジ４２ｂ（締め方向にしか回転しない特殊構造を有するネジ）により鋲着し、ネジの頭部を、キャップ４２ｃで閉塞する構造となっている。更に、キャップ４２ｃは、蓋材４２に溶着されているため、容易に取り外すことができないようになっている。
このような、カシメ構造４２ａによる、封止手段を備えることにより、蓋材４２は、筐体１ｂと一体に固着されることになり、スロットマシン１が遊技機島に設置状態にないときでも、挿入口４１より制御部１０を取り出すことが不能となる。これにより、遊技機島５０に設置状態にない、運搬時などにも、制御部１０の取り出しができなくなり、スロットマシン１が不正行為より万全に保護される。
【００２８】
次に、本実施形態における、主基板ホルダー４０に収納された制御部１０を、主基板ホルダー４０から取り外し不能に固着する固着手段について図９と図１０を参照しつつ説明する。なお、本実施形態では、固着手段としてカシメ構造４０ａを採用している。
図９は、本実施形態に係るスロットマシンの制御部１０を主基板ホルダー４０で固着した状態を示す概略斜視図であり、図１０は、本実施形態に係るスロットマシン１の主基板ホルダー４０の固着手段を示す断面図である。
図９に示すように、カシメ構造４０ａは、主基板ホルダー４０の右側に四箇所配設されていて、カシメ構造４０ａを作用させることにより、制御部１０が、主基板ホルダー４０に固着され、挿入口４１から取り外し不能となる。
なお、カシメ構造４０ａは、四箇所すべて作用させることはなく、一箇所のみでもよい。
【００２９】
以下、主基板ホルダー４０のカシメ構造４０ａについて詳述する。
図１０に示すように、カシメ構造４０ａは、主基板ケース１０ｂと主基板ホルダー４０をワンウェイネジ４０ｂ（締め方向にしか回転しない特殊構造を有するネジ）により鋲着し、ネジの頭部を、キャップ４０ｃで閉塞する構造となっている。更に、キャップ４０ｃは、主基板ホルダー４０に溶着されているため、容易に取り外すことができないようになっている。
このような、カシメ構造４０ａによる、固着手段を備えることにより、主基板ケース１０ｂは、主基板ホルダー４０と一体に固着されることになり、スロットマシン１が遊技機島５０に設置状態にないときでも、挿入口４１より制御部１０を取り出すことが不能となる。これにより、遊技機島５０に設置状態にない、運搬時などにも、制御部１０の取り出しができなくなり、スロットマシン１が不正行為より保護される。
【００３０】
以上説明したように、本実施形態に係るスロットマシン１によれば、遊技機設置状態においては、前扉１ａを開放しても、主基板ホルダー４０に収納された主基板ケース１０ｂを、開放することも、又は主基板ホルダー４０から取り外すこともできない。このため、不正行為者が従業員等であったとしても、主基板１０ａに直接、接触する手段がなくなる。その結果、主基板ケース１０ｂを開放して行う不正ＲＯＭの交換や、主基板ケース１０ｂごと取り替える不正行為等にも十分対応可能となり、スロットマシン１は有効に保護される。
さらに、蓋材４２やその封止手段、又は主基板ホルダー４０の固着手段を施すことで、不正行為より、スロットマシン１を万全に保護することができる。
【００３１】
［第二実施形態］
次に、本発明に係るスロットマシンの第二実施形態について、図１１、図１２を参照しつつ説明する。
図１１は、本実施形態に係るスロットマシンの主基板ホルダー４０が制御部１０を覆う状態を示す概略斜視図であり、図１２は、同じく本実施形態に係るスロットマシンの主基板ホルダー４０が制御部１０を覆う状態を示す断面図である。各図に示す本実施形態に係るスロットマシンは、上述した第一実施形態の変形実施形態であり、主基板ホルダー４０が制御部１０を覆う構成としたものである。
従って、その他の構成部分は、第一実施形態と同様となっており、同様の構成部分については、図中で第一実施形態と同一符号を付し、詳細な説明は省略する。
【００３２】
図１１及び図１２に示すように、本実施形態では、主基板ホルダー４０は、容易に割れたり、変形しない程度の硬度・強度を有し、外部より主基板１０ａに実装された部品が確認可能なように無色又は有色透明な合成樹脂などの材質からなり、制御部１０の前面を覆い収納可能なように全体として袋状に形成され、筐体１ｂの上奥に、筐体１ｂと一体となるように取り外し不能に固着されている。
このような構成とすることにより、主基板ホルダー４０が主基板ケース１０ｂの防御壁の役割を果たすこととなるため、主基板ホルダー４０に収納された主基板ケース１０ｂを破壊して、主基板１０ａのＲＯＭ等の交換を図るような悪質な不正行為からスロットマシンを保護することができる。
【００３３】
［第三実施形態］
次に、本発明に係るスロットマシンの第三実施形態について、図１３を参照しつつ説明する。
図１３は、本実施形態に係るスロットマシンの筐体１ｂ裏面の開口部６０を示す概略斜視図である。同図に示す本実施形態に係るスロットマシンは、上述した第一実施形態の変形実施形態であり、主基板１０ａを外部より視認可能にする開口部６０を筐体１ｂ裏面に備える構成としたものである。
従って、その他の構成部分は、第一実施形態と同様となっており、同様の構成部分については、図中で第一実施形態と同一符号を付し、詳細な説明は省略する。
【００３４】
図１３に示すように、本実施形態では、筐体１ｂの裏面に、透明な合成樹脂等を取り外し不能に筐体１ｂに嵌着した開口部６０を、制御部１０の裏面より主基板１０ａの裏面が視認可能な位置に形成してある。
このような構成とすることにより、制御部１０を取り出すことなく、主基板１０ａに不正な部品等が装着されていないかどうか確認することができる。すなわち、主基板１０ａの表面は、前扉１ａを開放して正面側より、主基板１０ａの裏面は、筐体１ｂの裏面の開口部６０より確認することができ、不正行為の痕跡をいち早く発見することに役立つ。
【００３５】
［第四実施形態］
次に、本発明に係るスロットマシンの第四実施形態について、図１４〜図１７を参照しつつ説明する。
図１４は、本実施形態に係るスロットマシンの制御部１０にコネクタ１０ｃを接続する状態を示す概略斜視図であり、図１５は、同じく本実施形態に係るスロットマシンの制御部１０にコネクタ１０ｃを接続した状態を示す概略斜視図である。
さらに、図１６は、本実施形態に係るスロットマシンのコネクタ１０ｃが制御部１０に接続された後に、制御部１０が主基板ホルダー４０に収納された状態を示す概略斜視図で、図１７は、本実施形態に係るスロットマシンの制御部１０にコネクタ１０ｃを接続した状態を示す断面矢視図である。
各図に示す本実施形態に係るスロットマシンは、上述した第一実施形態及び第二実施形態の変形実施形態であり、主基板ホルダー４０が、主基板ホルダー４０に主基板ケース１０ｂを収納した状態において、主基板１０ａに接続したコネクタ１０ｃのケーブルを貫通可能とし、コネクタ１０ｃを貫通不能及び／又は挿脱不能とする切欠部４０ｄを備える構成としてある。
従って、その他の構成部分は、第一実施形態及び第二実施形態と同様となっており、同様の構成部分については、図中で第一実施形態及び第二実施形態と同一符号を付し、詳細な説明は省略する。
【００３６】
本実施形態では、主基板ホルダー４０は、第二実施形態と同様に、容易に割れたり、変形しない程度の硬度・強度を有し、外部より主基板１０ａに実装された部品等が確認可能なように無色又は有色透明な合成樹脂などの材質からなり、制御部１０の前面を覆い収納可能なように全体として袋状に形成され、筐体１ｂの上奥に、筐体１ｂと一体となるように取り外し不能に固着されている。
さらに、主基板ホルダー４０には、コネクタ１０ｃが挿入可能な大きさの上部分と、コネクタ１０ｃに接続されたケーブルが貫通可能、かつ、コネクタ１０ｃが貫通不能とする下部分とを結合した鍵穴状の切欠部４０ｄが形成されている（図１４参照）。
【００３７】
そして、制御部１０を挿入口４１から挿入し、制御部１０に備えられた雌のコネクタの位置が、切欠部４０ｄのコネクタ１０ｃが挿入可能な上部分と対応した位置に到達したときに、コネクタ１０ｃを挿入・接続する（図１５参照）。その後、制御部１０を主基板ホルダー４０の所定の位置まで挿入・収納する（図１６参照）。そうすると、制御部１０が主基板ホルダー４０に完全に収納された状態で、接続されたコネクタ１０ｃは、切欠部４０ｄの下部分に対応することになり、切欠部４０ｄの下部分では、コネクタ１０ｃは貫通不能であるため、主基板ホルダー４０が妨げとなり、コネクタ１０ｃは挿脱不能となる（図１７参照）。なお、主基板ホルダー４０と主基板ケース１０ｂとの間隙は、ケーブルを引っ張ることで、接続されたコネクタ１０ｃが挿脱しない距離とする。
【００３８】
このような構成とすることにより、遊技に供する装置からの信号のやり取り等の重要な役割を果たす制御部１０のコネクタ１０ｃを挿脱して行う不正行為や、搬送中におけるコネクタ１０ｃの脱落等を有効に防止することができる。
【００３９】
以上、本発明の遊技機について、好ましい実施形態を示して説明したが、本発明に係る遊技機は、上述した実施形態にのみ限定されるものではなく、本発明の範囲で種々の変更実施が可能であることは言うまでもない。
例えば、本発明が適用されるのは、上述した実施形態で示したスロットマシンに限らず、ぱちんこ機であってもよく、基板、扉体と筐体を備えるどのような遊技機であっても適用が可能である。この種の遊技機としては、スロットマシン（パチロット，パロットを含む）やぱちんこ機の他、例えば、アレンジボール機，雀球機等、各種の遊技機があり、いずれも本発明の適用対象とすることができる。
また、上述した実施形態では、主基板を対象としたが、遊技機に係る基板であれば、副基板や周辺基板も、本発明の適用対象とすることができる。
【産業上の利用可能性】
【００４０】
本発明は、ぱちんこ機やスロットマシンなど広く遊技機に利用することができる。
【図面の簡単な説明】
【００４１】
【図１】本発明の一実施形態に係るスロットマシンを示す概略正面図である。
【図２】本発明の一実施形態に係るスロットマシンの内部構成を示す概略斜視図である。
【図３】本発明の一実施形態に係るスロットマシンの制御部の構成を示す概略斜視図である。
【図４】本発明の第一実施形態に係るスロットマシンの制御部が主基板ホルダーに収納された状態を示す概略斜視図である。
【図５】本発明の第一実施形態に係るスロットマシンの主基板ホルダーに制御部を収納する状態を示す概略斜視図である。
【図６】本発明の第一実施形態に係るスロットマシンの遊技機島の設置状態を示す概略斜視図である。
【図７】本発明の第一実施形態に係るスロットマシンの挿入口を蓋材で封止した状態を示す概略斜視図である。
【図８】本発明の第一実施形態に係るスロットマシンの蓋材の封止手段を示す断面図である。
【図９】本発明の第一実施形態に係るスロットマシンの制御部を主基板ホルダーで固着した状態を示す概略斜視図である。
【図１０】本発明の第一実施形態に係るスロットマシンの主基板ホルダーの固着手段を示す断面図である。
【図１１】本発明の第二実施形態に係るスロットマシンの主基板ホルダーが制御部を覆う状態を示す概略斜視図である。
【図１２】本発明の第二実施形態に係るスロットマシンの主基板ホルダーが制御部を覆う状態を示す断面図である。
【図１３】本発明の第三実施形態に係るスロットマシンの筐体裏面の開口部を示す概略斜視図である。
【図１４】本発明の第四実施形態に係るスロットマシンの制御部にコネクタを接続する状態を示す概略斜視図である。
【図１５】本発明の第四実施形態に係るスロットマシンの制御部にコネクタを接続した状態を示す概略斜視図である。
【図１６】本発明の第四実施形態に係るスロットマシンのコネクタが制御部に接続された後に、制御部が主基板ホルダーに収納された状態を示す概略斜視図である。
【図１７】本発明の第四実施形態に係るスロットマシンの制御部にコネクタを接続した状態を示す断面矢視図である。
【符号の説明】
【００４２】
１  スロットマシン
２  前面パネル
１０  （１０ａ，１０ｂ，１０ｃ）  制御部
２０  ドラムユニット
２１  （２１ａ，２１ｂ，２１ｃ）  リール
４０  （４０ａ，４０ｂ，４０ｃ，４０ｄ）  主基板ホルダー
４１  挿入口
４２  （４２ａ，４２ｂ，４２ｃ）  蓋材
５０  遊技機島
【図１】
2008000524.tif 000003
【図２】
2008000524.tif 000004
【図３】
2008000524.tif 000005
【図４】
2008000524.tif 000006
【図５】
2008000524.tif 000007
【図６】
2008000524.tif 000008
【図７】
2008000524.tif 000009
【図８】
2008000524.tif 000010
【図９】
2008000524.tif 000011
【図１０】
2008000524.tif 000012
【図１１】
2008000524.tif 000013
【図１２】
2008000524.tif 000014
【図１３】
2008000524.tif 000015
【図１４】
2008000524.tif 000016
【図１５】
2008000524.tif 000017
【図１６】
2008000524.tif 000018
【図１７】
2008000524.tif 000019